(57)【要約】      （修正有）【課題】扉や筐体本体に形成される金具等の端部により生じる段差部からの水の浸入を確実に防止することができる、電気機器収納用箱のパッキンを提供する。【解決手段】開閉扉を備えた開口部の周縁に貼着される電気機器収納用箱用パッキン２０であって、裏面側が扉または筺体本体のいずれか一方の部材に貼り付けられ、表面側が扉を閉じたときに他方の部材に密着されるパッキン２０を備え、パッキン２０の裏面側に、パッキン２０を一方の部材へ貼り付ける機能を形成した接着面２３とパッキン２０を一方の部材に密着させるシール部２２と、を形成した。【選択図】図１０
2018127817.tif 000002
【特許請求の範囲】
【請求項１】
開閉扉を備えた開口部の周縁に貼着される電気機器収納用箱用パッキンであって、裏面側が扉または筺体本体のいずれか一方の部材に貼り付けられ、表面側が扉を閉じたときに他方の部材に密着されるパッキンを備え、パッキンの裏面側に、パッキンを一方の部材へ貼り付ける機能を形成した接着面とパッキンを一方の部材に密着させるシール部とを形成したことを特徴とする電気機器収納用箱用パッキン。
【請求項２】
前記シール部を上下の接着面に挟まれた位置に配置したことを特徴とする請求項１に記載の両扉式の電気機器収納用箱用パッキン。
【請求項３】
前記シール部は、前記パッキンよりも柔らかい材質からなることを特徴とする請求項２に記載の両扉式の電気機器収納用箱用パッキン。
【請求項４】
前記シール部は、前記パッキンの裏面にパッキンとは異なる部材が貼り付けられたものであることを特徴とする請求項１または２に記載の両扉式の電気機器収納用箱用パッキン。
【請求項５】
先に閉じられる一方扉の端部と、後に閉じられる他方扉の端部とを重ね合せ、筐体本体の開口部を覆う両扉構造の電気機器収納用箱であって、一方扉の少なくとも上面の端部には水切金具が配置されるとともに、この水切金具に請求項１から請求項４の何れかに記載の電気機器収納用箱用パッキンが貼り付けされることを特徴とする両扉式の電気機器収納用箱。
【発明の詳細な説明】
【技術分野】
【０００１】
本発明は、電気機器収納用箱に取り付けられるパッキン、及び、電気機器収納用箱用パッキンが取り付けられる左右２枚の扉を備えた両扉式の電気機器収納用箱に関するものである。
【背景技術】
【０００２】
両扉式の電気機器収納用箱としては、筐体本体に垂直方向の回転軸により軸支された先に閉じられる一方扉の端部と、同じく筐体本体に垂直方向の回転軸により軸支された後に閉じられる他方扉の端部とを重ね合せ、筐体本体の開口部を覆う構造が一般的である。
【０００３】
なお本明細書においては、先に閉じられる扉を「一方扉」、後に閉じられる扉を「他方扉」と記す。多くの場合、一方扉は左扉、他方扉は右扉である。また本明細書において扉の端部とは、各扉の中央側の端部を指すものとする。
【０００４】
屋外仕様の電気機器収納用箱においては、筐体本体の周縁を囲うように水切部が形成され、この水切部に扉の内側周縁部に設けられたパッキンを当接させ、シールする構造となっている。１枚扉の場合にはシール構造は単純であるが、両扉式の場合には双方の扉の端部が重なり合う中央部分のシールが問題となる。
【０００５】
このため特許文献１に示されるように、一方扉の端部の上下に水切金具を設け、一方扉とこの水切金具との内面には筐体本体の水切部と当接するパッキンを貼り付け、他方扉の上縁がこの水切部を覆うように閉じる構造が採用されている。なお、これらの位置にパッキンを貼り付けるには、両面テープが用いられている。
【０００６】
図１３にこの部分の拡大水平断面図を示す。５０は筐体本体の水切部、５１は一方扉、５２は水切金具、５３はパッキン、５４は接着面を構成する両面テープである。
【０００７】
水切金具５２は鋼板を折り曲げて形成されるため、その端部と一方扉５１との間には、鋼板の厚さ分だけの段差部５５が不可避的に形成される。しかもパッキン５３を水切金具５２に貼り付けている両面テープ５４はパッキン５３に比べて弾性に乏しいため、この段差部５５に追従することができず、水切金具の端部において僅かながら隙間が発生して水が浸入するおそれがある。
【先行技術文献】
【特許文献】
【０００８】
【特許文献１】特開２００６―３０７４６４号公報
【発明の概要】
【発明が解決しようとする課題】
【０００９】
従って本発明の目的は上記した従来の問題点を解決し、扉や筐体本体に形成される金具等の端部により生じる段差部等からの水の浸入を確実に防止することができる、電気機器収納用箱用パッキン、及び、前記パッキンを用いた両扉式の電気機器収納用箱を提供することである。
【課題を解決するための手段】
【００１０】
上記の課題を解決するためになされた本発明は、開閉扉を備えた開口部の周縁に貼着される電気機器収納用箱用パッキンであって、裏面側が扉または筺体本体のいずれか一方の部材に貼り付けられ、表面側が扉を閉じたときに他方の部材に密着されるパッキンを備え、パッキンの裏面側に、パッキンを一方の部材へ貼り付ける機能を形成した接着面とパッキンを一方の部材に密着させるシール部と、を形成したことを特徴とするものである。
【００１１】
なお、前記シール部を上下の接着面に挟まれた位置に配置することが好ましい。また前記シール部は、前記パッキンよりも柔らかい材質からなることが好ましい。また、前記シール部は、前記パッキンの裏面に貼り付けられたものとすることができる。更には、先に閉じられる一方扉の端部と、後に閉じられる他方扉の端部とを重ね合せ、筐体本体の開口部を覆う両扉構造の電気機器収納用箱について、一方扉の少なくとも上面の端部には水切金具が配置されるとともに、この水切金具に上記電気機器収納用箱用パッキンが貼り付けされたものとすることが好ましい。
【発明の効果】
【００１２】
本発明によれば、扉や筐体本体に形成される金具等の端部により生じる段差部等からの水の浸入を確実に防止することができる、電気機器収納用箱用パッキン、及び、前記電気機器収納用箱用パッキンを用いた両扉式の電気機器収納用箱を提供することができる。
【図面の簡単な説明】
【００１３】
【図１】実施形態の電気機器収納用箱の全体を示す斜視図である。
【図２】一方扉を閉じた状態を示す斜視図である。
【図３】図２の要部の拡大図である。
【図４】パッキンを省略して水切金具を示す扉裏面側からの斜視図である。
【図５】一方扉の端部を扉裏面側から見た斜視図である。
【図６】一方扉の端部を扉裏面側から見た正面図である。
【図７】電気機器収納用箱用パッキンのみを示す斜視図である。
【図８】電気機器収納用箱用パッキンのみを示す斜視図である。
【図９】パッキンの貼り付け部分をパッキンの表面側から見た正面図である。
【図１０】電気機器収納用箱用パッキンのみを取り出してその裏面側から見た斜視図である。
【図１１】シール部の拡大水平断面図である。
【図１２】シール部の拡大水平断面図である。
【図１３】従来構造の要部を示す拡大水平断面図である。
【発明を実施するための形態】
【００１４】
以下に本発明の好ましい実施形態を示す。
【００１５】
（全体構造）
図１は両扉式の電気機器収納用箱の全体を示す斜視図であり、１は前面が開口している筐体本体、２は筐体本体１に垂直方向の回転軸により軸支された先に閉じられる一方扉（左扉）、３は筐体本体１に垂直方向の回転軸４により軸支された他方扉（右扉）である。一方扉２にはハンドル５が設けられ、他方扉３には一方扉２の端部の裏面に係止される止め金６、これと連動する鎖錠棒７などが設けられている。
【００１６】
筐体本体１の開口部の周縁には、周縁を囲うように水切部１０が形成されている。水切部１０は図２、図３に示されるように、筐体本体１の周縁をＵ字溝が形成されるように折り曲げたものである。図１に示されるように、他方扉３の裏面には右パッキン１１が設けられている。また、図３、図５に示されるように、一方扉２の裏面には同様に左パッキン２０が設けられている。これらの左右のパッキンはコ字状であり開口が対向するように各扉の裏面に貼り付けられるが、後で閉じられる他方扉３の右パッキン１１はロ字状としてもよい。これらのパッキンは扉を閉じたときに筐体本体１の水切部１０の垂直面に密着し、従来と同様、水の浸入を防止するものである。
【００１７】
（水切金具）
一方扉２の中央側の垂直端部には、図３に示されるように筐体本体１の奥行方向に窪む溝部１２が形成されている。この溝部１２の上下端部には水切金具１３が形成されている。この溝部１２は両扉の中央の合わせ部から水が浸入しても水切金具１３を伝わって溝部１２内を流下し、筐体本体１の内部への浸入を防止するためのものである。
【００１８】
水切金具１３は一方扉２の端部に溶接されたものであり、図４に示すように一方扉２への溶接面となる取付片１４と、外側に延びる第１片１５と、取付片１４と第１片１５の上面を覆う第２片１６とが一連に形成されている。水切金具１３は鋼板製であるため、その板厚分の段差部１７が取付片１４の扉内側方向の端縁に形成されることが避けられない。この端縁は斜めに面取りしておくことが好ましい。
【００１９】
第２片１６は取付片１４の上部より扉内側方向に延設されており、上記の段差部１７の上部は第２片１６により覆われ、第２片１６の端部から流下する水が、段差部１７に直接流れない構造となっている。なお、取付片１４の上端部には平面部１８が形成され、その上端に第２片１６が形成されている。
【００２０】
（電気機器収納用箱用パッキン）
図５以下に示すように、一方扉２の裏面には電気機器収納用箱用パッキンが設けられている。これは前記した左パッキンに相当するものである。図５、図６は扉の裏面側からパッキン２０を見た斜視図であり、パッキン２０は水切金具１３の裏面を水平方向に横断するように一方扉２の裏面に貼り付けられている。図７、図８に示されるように、パッキン２０は反発力が小さい中空パッキンであり、一方扉２を小さい力で閉じることができるようになっている。このパッキン２０の表面は一方扉２を閉じたときに変形しながら広い面積で筐体本体１の水切部１０に密着し、防水性能を高めている。
【００２１】
なお、パッキン２０の先端は水平断面が三角形の突出部２１となっており、他方扉３が閉じられたとき、他方扉３のパッキン１１と、水切金具１３の開放端部の隙間の発生を防止している。
【００２２】
以上に説明したように、一方扉２の裏面には水切金具１３の裏面を横断するパッキン２０が設けられているが、図１０に示したようにパッキン２０は両面テープなどの貼り付け機能を形成した接着面２３により水切金具１３に貼り付けられている。
【００２３】
（シール部）
本発明では、パッキン２０の裏面側に、水切金具１３に当接するシール部２２を形成した。シール部２２は図７、図８に示されるようにパッキン２０の端部に形成され、図９に示されるように、少なくとも水切金具１３の段差部１７の対応位置に配置されている。シール部２２はパッキン２０または接着面２３となる両面テープよりも柔らかい材質で、パッキン２０とは異なる部材からなるもので、例えばスポンジ部材からなる。
【００２４】
図９はパッキン２０の貼り付け部分をパッキンの反対面となる表面側、すなわち扉裏面側から見た図であり、図１０はパッキン２０のみを取り出してその裏面側から見た図である。パッキン２０の接着面２３は上下に分割されており、シール部２２は上下の接着面に挟まれた位置に配置されている。このような構造とすれば、シール部２２を設けてもパッキン２０が一方扉２の裏面から剥がれることがない。また、シール部２２の上側がパッキン２０の上側の接着面２３で覆われ、さらに、接着面２３が水切金具１３の段差部１７を横断するように配置されるので、シール部２２まで水が進入しにくくなる。
【００２５】
このように構成されたシール部２２の拡大水平断面図を、図１１と図１２に示す。一方扉２を閉じるとパッキン２０が筐体本体１の水切部１０に当接し、これとともにシール部２２も圧縮されて段差部１７を埋めるように変形し、隙間を埋める。このため、パッキン２０の接着面２３の部分では段差部１７の部分に隙間が残っていても、シール部２２の部分では隙間がなくなるので、水の浸入を確実に防止することができる。なお、図４と図９、および図１１に示すように、水切金具１３の取付片１４と第１片１５には、一方扉２と他方扉３が同じ平面状に位置させるために筐体本体１の奥行方向に段差部１９を設けており、シール部２２は段差部１９も横断するように形成し、この段差部１９からの水の浸入を防止できる。
【００２６】
この実施形態ではパッキン２０の裏面にシール部２２を貼り付けたが、パッキン２０の裏面にシール部２２を一体に形成することもできる。
【００２７】
以上の説明は一方扉２の上側の水切金具１３に当接するシール部２２について行ったが、下側の水切金具１３に対するシール構造も同様とすることができる。また、一方扉２の水切金具１３を形成するものと説明したが、筐体本体１に水切金具１３等を形成し、パッキン２０、シール部２２を筐体本体１に貼り付けするものであっても良く、この場合においても金具の段差部１７により生じる隙間を埋めるように形成することも可能である。
【００２８】
以上に説明したように、本発明によれば一方扉２を閉じたときに水切金具１３の部分に発生していた隙間をなくし、水の浸入を防止することができる。その後に他方扉３がその外側から閉じられ、筐体本体１の開口部が閉じられることとなる。なお、本実施形態においては、両扉式の電気機器収納用箱に形成されるパッキン２０について説明をしたが、一方扉２のみからなる電気機器収納用箱であっても良く、この場合、一方扉２に形成した金具に横断するようにパッキン２０、シール部２２を貼り付けて、金具の部分に発生する隙間をなくし、水の侵入を防止することができる。
【符号の説明】
【００２９】
１  筐体本体
２  一方扉
３  他方扉
４  回転軸
５  ハンドル
６  止め金
７  鎖錠棒
１０  水切部
１１  右パッキン
１２  溝部
１３  水切金具
１４  取付片
１５  第１片
１６  第２片
１７  段差部
１８  平面部
２０  パッキン（左パッキン）
２１  突出部
２２  シール部
２３  接着面
５０  水切部（従来技術）
５１  一方扉
５２  水切金具
５３  パッキン
５４  両面テープ
５５  段差部
【図１】
2018127817.tif 000003
【図２】
2018127817.tif 000004
【図３】
2018127817.tif 000005
【図４】
2018127817.tif 000006
【図５】
2018127817.tif 000007
【図６】
2018127817.tif 000008
【図７】
2018127817.tif 000009
【図８】
2018127817.tif 000010
【図９】
2018127817.tif 000011
【図１０】
2018127817.tif 000012
【図１１】
2018127817.tif 000013
【図１２】
2018127817.tif 000014
【図１３】
2018127817.tif 000015